(57)【特許請求の範囲】
【請求項１】
呼制御プロトコルに準拠した複数の通信端末と通信回線を介して接続され、上記呼制御プロトコルに従って呼接続処理を実行する交換機システムであって、
送信元の通信端末から送信される信号を受信すると共に当該受信信号に対する所定の処理を実行する受信処理手段と、
通信端末毎に、上記受信処理手段による信号受信に関する受信回数／時間である受信割合を求め、この求めた受信割合が予め設定されている受信割合に達している通信端末に関わる受信信号については破棄するよう上記受信処理手段を制御する輻輳制御手段とを有し、
上記受信処理手段は、送信元の通信端末から送信される信号を受信したときは、当該受信信号から当該送信元の通信端末を特定する情報を示す端末特定情報を抽出すると共に、この抽出した端末特定情報を上記輻輳制御手段へ通知し、
上記輻輳制御手段は、上記受信処理手段から通知される端末特定情報毎に上記受信処理手段による信号受信に関する上記受信割合を求めると共に、この求めた受信割合と予め設定されている受信割合とを比較し、上記求めた受信割合が上記予め設定されている受信割合に達している通信端末については輻輳規制対象であると決定し、その旨を上記受信処理手段へ通知し、
さらに、上記受信処理手段は、上記輻輳制御手段から輻輳規制対象であると決定された通信端末からの受信信号を破棄し、
上記複数の通信端末に対応する端末特定情報毎に、上記受信処理手段によって受信される信号の受信回数を示す受信回数情報と、上記受信処理手段が信号受信を開始した時刻を示す時刻情報とを記憶する記憶手段をさらに備え、
上記輻輳制御手段は、
上記受信処理手段によって受信信号から抽出された端末特定情報を基に上記記憶手段に記憶されている受信回数情報を更新する更新手段と、
上記更新手段による更新処理された更新後の受信回数情報に基づく受信回数値と予め設定される基準受信回数値とを比較する受信回数比較手段と、
上記受信回数比較手段によって更新後の受信回数値が上記基準受信回数値に達したと判定されたときは、上記抽出された端末特定情報に対応して上記記憶手段に記憶されている時刻情報に基づく時刻から現在の時刻までの実際の受信時間と、予め設定される基準受信時間とを比較する時間比較手段と、
上記時間比較手段によって上記受信時間が上記基準受信時間以下であると判定されたときは、上記抽出された端末特定情報に対応する通信端末については輻輳規制対象であると決定し、その旨を上記受信処理手段へ通知する処理手段とを備えた
ことを特徴とする交換機システム。
【請求項２】
上記処理手段は、所定の通信端末について輻輳規制対象であると決定した場合は、一定時間が経過した後に上記記憶手段の当該所定の通信端末に関わる記憶内容をリセットし、輻輳規制対象となっている当該所定の通信端末に関わる輻輳規制を解除することを特徴とする請求項１に記載の交換機システム。
【請求項３】
呼制御プロトコルに準拠した複数の通信端末と通信回線を介して接続され、上記呼制御プロトコルに従って呼接続処理を実行する交換機システムの輻輳規制方法であって、
受信処理手段、輻輳制御手段、記憶手段を備え、
上記受信処理手段は、送信元の通信端末から送信される信号を受信すると共に当該受信信号に対する所定の処理を実行し、
上記輻輳制御手段は、通信端末毎に、上記受信処理手段による信号受信に関する受信回数／時間である受信割合を求め、この求めた受信割合が予め設定されている受信割合に達している通信端末に関わる受信信号については破棄するよう上記受信処理手段を制御し、
上記受信処理手段は、送信元の通信端末から送信される信号を受信したときは、当該受信信号から当該送信元の通信端末を特定する情報を示す端末特定情報を抽出すると共に、この抽出した端末特定情報を上記輻輳制御手段へ通知し、
上記輻輳制御手段は、上記受信処理手段から通知される端末特定情報毎に上記受信処理手段による信号受信に関する上記受信割合を求めると共に、この求めた受信割合と予め設定されている受信割合とを比較し、上記求めた受信割合が上記予め設定されている受信割合に達している通信端末については輻輳規制対象であると決定し、その旨を上記受信処理手段へ通知し、
さらに、上記受信処理手段は、上記輻輳制御手段から輻輳規制対象であると決定された通信端末からの受信信号を破棄し、
上記記憶手段は、上記複数の通信端末に対応する端末特定情報毎に、上記受信処理手段によって受信される信号の受信回数を示す受信回数情報と、上記受信処理手段が信号受信を開始した時刻を示す時刻情報とを記憶し、
上記輻輳制御手段は、
上記受信処理手段によって受信信号から抽出された端末特定情報を基に上記記憶手段に記憶されている受信回数情報を更新する更新工程と、
上記更新工程による更新処理された更新後の受信回数情報に基づく受信回数値と予め設定される基準受信回数値とを比較する受信回数比較工程と、
上記受信回数比較工程によって更新後の受信回数値が上記基準受信回数値に達したと判定されたときは、上記抽出された端末特定情報に対応して上記記憶手段に記憶されている時刻情報に基づく時刻から現在の時刻までの実際の受信時間と、予め設定される基準受信時間とを比較する時間比較工程と、
上記時間比較工程によって上記受信時間が上記基準受信時間以下であると判定されたときは、上記抽出された端末特定情報に対応する通信端末については輻輳規制対象であると決定し、その旨を上記受信処理手段へ通知する処理工程とを備える
ことを特徴とする交換機システムの輻輳規制方法。
【発明の詳細な説明】
【技術分野】
【０００１】
本発明は交換機システム及びその輻輳規制方法に関し、例えば、呼制御プロトコルに準拠した複数の通信端末と通信回線を介して接続され、呼制御プロトコルに従って呼接続処理を実行する交換機システム及びその輻輳規制方法に適用し得る。
【背景技術】
【０００２】
ＳＩＰ（Ｓｅｓｓｉｏｎ  Ｉｎｉｔｉａｔｉｏｎ  Ｐｒｏｔｏｃｏｌ）交換機システムは、ＳＩＰプロトコルに対応した加入者電話端末（ＳＩＰ加入者電話端末）を多数収容し、ＳＩＰ加入者電話端末との間でＳＩＰ信号を送受信することで、当該ＳＩＰ加入者電話端末（加入者）に対して電話呼接続サービスを提供する。
【０００３】
このようなＳＩＰ交換機システムには、ＳＩＰ信号受信処理、ＳＩＰ信号解析処理、トランザクション制御処理（ＳＩＰ信号送信処理を含む）、及び呼制御処理（ＳＩＰ信号送信処理を含む）のように、電話呼接続サービスに関わる処理を機能分割することで呼接続処理を実現するものがある。
【０００４】
このＳＩＰ交換機システムに対してＳＩＰ加入者電話端末がＳＩＰ信号を送信すると、ＳＩＰ交換機システムは、受信した個々のＳＩＰ信号について、（１）ＳＩＰ信号受信処理、（２）ＳＩＰ信号解析処理、（３）トランザクション制御処理、（４）呼制御処理を順次（（１）〜（４）の処理項目の並び順）に処理を実行する。
【０００５】
なお、信号の送受信においては一般にＵＤＰ（Ｕｓｅｒ  Ｄａｔａｇｒａｍ  Ｐｒｏｔｏｃｏｌ）が利用されるので、ＳＩＰ信号受信処理では、ＳＩＰ信号以外のＵＤＰパケットを受信することもあり得る。
【特許文献１】特開２００２−１６６３３号公報
【特許文献２】特開２００４−１６４５５３号公報
【発明の開示】
【発明が解決しようとする課題】
【０００６】
しかしながら、上記従来のＳＩＰ交換機システムでは、悪意のＳＩＰ加入者電話端末や故障したＳＩＰ加入者電話端末などから異常に大量なＵＤＰパケット（ＳＩＰ信号、及びＳＩＰ信号以外の信号も含めて）を受信した場合は、ＳＩＰ信号としての解析処理（ＳＩＰ信号解析処理）が、受信した個々のＵＤＰパケットについて必ず実施されるので、交換機輻輳を引き起こすという問題点があった。
【０００７】
また、ＳＩＰ信号解析処理においてＳＩＰ信号として正常とみなされた場合は、トランザクション制御処理及び呼制御処理が実施されることになり、輻輳を助長する可能性があった。
【０００８】
さらに、交換機輻輳が引き起こされると、正常なＳＩＰ加入者電話端末（加入者）に対する電話サービス（電話呼接続サービス）が提供できなくなる虞や、交換機システムのシステムダウンなどの不具合が生じることが想定される。
【０００９】
そこで、本発明は、大量の信号を受信することに起因して発生する輻輳を回避することのできる交換機システム及びその輻輳規制方法を提供することを目的とする。
【課題を解決するための手段】
【００１０】
かかる課題を解決するために、第１の本発明は、呼制御プロトコルに準拠した複数の通信端末と通信回線を介して接続され、上記呼制御プロトコルに従って呼接続処理を実行する交換機システムであって、送信元の通信端末から送信される信号を受信すると共に当該受信信号に対する所定の処理を実行する受信処理手段と、通信端末毎に上記受信処理手段による信号受信に関する受信回数／時間である受信割合を求め、この求めた受信割合が予め設定されている受信割合に達している通信端末に関わる受信信号については破棄するよう上記受信処理手段を制御する輻輳制御手段とを有し、上記受信処理手段は、送信元の通信端末から送信される信号を受信したときは、当該受信信号から当該送信元の通信端末を特定する情報を示す端末特定情報を抽出すると共に、この抽出した端末特定情報を上記輻輳制御手段へ通知し、上記輻輳制御手段は、上記受信処理手段から通知される端末特定情報毎に上記受信処理手段による信号受信に関する上記受信割合を求めると共に、この求めた受信割合と予め設定されている受信割合とを比較し、上記求めた受信割合が上記予め設定されている受信割合に達している通信端末については輻輳規制対象であると決定し、その旨を上記受信処理手段へ通知し、さらに、上記受信処理手段は、上記輻輳制御手段から輻輳規制対象であると決定された通信端末からの受信信号を破棄し、上記複数の通信端末に対応する端末特定情報毎に、上記受信処理手段によって受信される信号の受信回数を示す受信回数情報と、上記受信処理手段が信号受信を開始した時刻を示す時刻情報とを記憶する記憶手段をさらに備え、上記輻輳制御手段は、上記受信処理手段によって受信信号から抽出された端末特定情報を基に上記記憶手段に記憶されている受信回数情報を更新する更新手段と、上記更新手段による更新処理された更新後の受信回数情報に基づく受信回数値と予め設定される基準受信回数値とを比較する受信回数比較手段と、上記受信回数比較手段によって更新後の受信回数値が上記基準受信回数値に達したと判定されたときは、上記抽出された端末特定情報に対応して上記記憶手段に記憶されている時刻情報に基づく時刻から現在の時刻までの実際の受信時間と、予め設定される基準受信時間とを比較する時間比較手段と、上記時間比較手段によって上記受信時間が上記基準受信時間以下であると判定されたときは、上記抽出された端末特定情報に対応する通信端末については輻輳規制対象であると決定し、その旨を上記受信処理手段へ通知する処理手段とを備えたことを特徴とする。
【００１１】
第２の本発明は、呼制御プロトコルに準拠した複数の通信端末と通信回線を介して接続され、上記呼制御プロトコルに従って呼接続処理を実行する交換機システムの輻輳規制方法であって、  受信処理手段、輻輳制御手段、記憶手段を備え、上記受信処理手段は、送信元の通信端末から送信される信号を受信すると共に当該受信信号に対する所定の処理を実行し、上記輻輳制御手段は、通信端末毎に、上記受信処理手段による信号受信に関する受信回数／時間である受信割合を求め、この求めた受信割合が予め設定されている受信割合に達している通信端末に関わる受信信号については破棄するよう上記受信処理手段を制御し、上記受信処理手段は、送信元の通信端末から送信される信号を受信したときは、当該受信信号から当該送信元の通信端末を特定する情報を示す端末特定情報を抽出すると共に、この抽出した端末特定情報を上記輻輳制御手段へ通知し、上記輻輳制御手段は、上記受信処理手段から通知される端末特定情報毎に上記受信処理手段による信号受信に関する上記受信割合を求めると共に、この求めた受信割合と予め設定されている受信割合とを比較し、上記求めた受信割合が上記予め設定されている受信割合に達している通信端末については輻輳規制対象であると決定し、その旨を上記受信処理手段へ通知し、さらに、上記受信処理手段は、上記輻輳制御手段から輻輳規制対象であると決定された通信端末からの受信信号を破棄し、上記記憶手段は、上記複数の通信端末に対応する端末特定情報毎に、上記受信処理手段によって受信される信号の受信回数を示す受信回数情報と、上記受信処理手段が信号受信を開始した時刻を示す時刻情報とを記憶し、上記輻輳制御手段は、上記受信処理手段によって受信信号から抽出された端末特定情報を基に上記記憶手段に記憶されている受信回数情報を更新する更新工程と、上記更新工程による更新処理された更新後の受信回数情報に基づく受信回数値と予め設定される基準受信回数値とを比較する受信回数比較工程と、上記受信回数比較工程によって更新後の受信回数値が上記基準受信回数値に達したと判定されたときは、上記抽出された端末特定情報に対応して上記記憶手段に記憶されている時刻情報に基づく時刻から現在の時刻までの実際の受信時間と、予め設定される基準受信時間とを比較する時間比較工程と、上記時間比較工程によって上記受信時間が上記基準受信時間以下であると判定されたときは、上記抽出された端末特定情報に対応する通信端末については輻輳規制対象であると決定し、その旨を上記受信処理手段へ通知する処理工程とを備えることを特徴とする。
【発明の効果】
【００１２】
本発明に係る交換機システム及びその輻輳規制方法によれば、悪意の通信端末や故障した通信端末から送信された大量の信号を受信した場合であっても、その大量の信号を受信することに起因して発生する交換機システムの輻輳を回避することができる。
【発明を実施するための最良の形態】
【００１３】
以下、本発明を実施するための最良の形態を、図面を参照しつつ、さらに具体的に説明する。ここで、添付図面において同一の構成要素には同一の符号を付しており、また、重複した説明は省略されている。なお、ここでの説明は本発明が実施される最良の形態であることから、本発明は当該形態に限定されるものではない。
【００１４】
（Ａ）第１の実施形態
第１の実施形態では、呼制御プロトコルに準拠した複数の通信端末と通信回線を介して接続され、その呼制御プロトコルに従って呼接続処理を実行する交換機システムについて説明する。
【００１５】
ここで、呼制御プロトコルは、ＩＥＴＦ（ＲＦＣ３２６１）で規定されたＳＩＰ（Ｓｅｓｓｉｏｎ  Ｉｎｉｔｉａｔｉｏｎ  Ｐｒｏｔｏｃｏｌ）プロトコル、ＩＥＴＦ（ＲＦＣ２７０５）で規定されたＭＧＣＰ（Ｍｅｄｉａ  Ｇａｔｅｗａｙ  Ｃｏｎｔｒｏｌ  Ｐｒｏｔｏｃｏｌ）プロトコルなどのプロトコルである。
【００１６】
また、複数の通信端末は、電話端末、電話機能を有するパーソナルコンピュータ、電話機能を有する携帯情報端末（ＰＤＡ）、又は、これらを組み合わせたもの、などである。パーソナルコンピュータや携帯情報端末（ＰＤＡ）は、電話機能を遂行させるためのアプリケーションソフトウェアを実行することで、電話機能（ＩＰ電話機能）を実現する。
【００１７】
第１の実施形態では、呼制御プロトコルはＳＩＰプロトコルを適用し、通信端末は電話端末を適用するものとする。また、ＳＩＰプロトコルに準拠している電話端末及び交換機システムを、それぞれＳＩＰ電話端末及びＳＩＰ交換機システムと表記する。
【００１８】
（Ａ−１）第１の実施形態の構成
図１は、本発明の第１の実施形態に係るＳＩＰ交換機システムを有するネットワークシステムの構成図を示している。
【００１９】
図１に示すネットワークシステムは、ＳＩＰ交換機システム１００と、複数（Ｎ個）のＳＩＰ電話端末１２０−１、１２０−２、…、１２０−Ｎとが、ＩＰ（インターネットプロトコル）ネットワーク（通信回線）１１０を介して接続される。また、ＳＩＰ交換機保守端末１３０が、ＩＰネットワーク１１０を介してＳＩＰ交換機システム１００に接続される。
【００２０】
ＳＩＰ交換機システム１００は、ＳＩＰプロトコルに従って呼接続処理を実行する。本実施形態では、呼接続処理は、ＳＩＰ信号受信処理、ＳＩＰ信号解析処理、トランザクション制御処理、呼制御処理、及び後述する輻輳規制処理を含んでいる。
【００２１】
複数のＳＩＰ電話端末１２０−１、１２０−２、…、１２０−Ｎは、ＩＰネットワーク１１０を経由してＳＩＰ交換機システム１００と接続され、ＳＩＰ交換機システム１００による呼接続処理によりＩＰネットワーク１１０を経由して接続される相手先のＳＩＰ電話端末と通信（通話）する。これ以降の説明において、複数のＳＩＰ電話端末１２０−１、１２０−２、…、１２０−Ｎを総称してＳＩＰ電話端末１２０と表記する。
【００２２】
ＳＩＰ交換機保守端末１３０は、ＳＩＰ交換機システム１００との間で独自に規定したプロトコル（例えばＳＩＰプロトコル）などを使用して、ＩＰネットワーク１１０を経由してＳＩＰ交換機システム１００を保守管理する。
【００２３】
図１において、送信元のＳＩＰ電話端末１２０例えばＳＩＰ電話端末１２０−１から送信されるＳＩＰ要求信号は、ＩＰネットワーク１１０を介してＳＩＰ交換機システム１００に入力され、ＳＩＰ交換機システム１００によって処理される。
【００２４】
そして、ＳＩＰ交換機システム１００は、受信したＳＩＰ要求信号に対する所定の処理を行った結果に応じて、送信元のＳＩＰ電話端末１２０−１へのＳＩＰ応答信号、あるいは接続先（送信先）のＳＩＰ電話端末例えばＳＩＰ電話端末１２０−ＮへのＳＩＰ要求信号を、ＩＰネットワーク１１０を介して送信する。
【００２５】
図２は、ＳＩＰ交換機システム１００の機能ブロック図を示している。
【００２６】
図２に示すように、ＳＩＰ交換機システム１００は、ＳＩＰ信号受信処理部２１０、ＳＩＰ信号解析処理部２２０、トランザクション制御処理部２３０、呼制御処理部２４０、及び輻輳制御管理部３００を有している。
【００２７】
ＳＩＰ信号受信処理部２１０は、ＳＩＰ電話端末１２０から送信されたＳＩＰ信号（要求信号、応答信号）を受信し、この受信したＳＩＰ信号に関わる規制対象判定を輻輳制御管理部３００に要求する。
【００２８】
また、ＳＩＰ信号受信処理部２１０は、規制対象判定要求に対する輻輳制御管理部３００からの結果が、輻輳非規制対象を意味する「規制非対象」を示す旨の場合には、受信したＳＩＰ信号をＳＩＰ信号解析処理部２２０に引き渡し、一方、輻輳規制対象を意味する「規制対象」を示す旨の場合は、受信したＳＩＰ信号を破棄する。
【００２９】
すなわち、ＳＩＰ信号受信処理部２１０は、送信元のＳＩＰ電話端末から送信される信号を受信すると共に当該受信信号に対する所定の処理を実行するものであり、送信元のＳＩＰ電話端末から送信される信号を受信したときは、当該受信信号から当該送信元のＳＩＰ電話端末を特定する情報を示す端末特定情報を抽出し、この抽出した端末特定情報を輻輳制御管理部３００へ通知すると共に、この輻輳制御管理部３００から接続の規制対象つまり輻輳規制対象であると決定されたＳＩＰ電話端末からの受信信号を破棄する。
【００３０】
ここで、端末特定情報は、受信信号（ＳＩＰ信号）に含まれるＩＰアドレス及びポート番号である。
【００３１】
ＳＩＰ信号解析処理部２２０は、受け取ったＳＩＰ信号の解析を実施し、この解析した結果（解析内容）が正常であった場合にはその解析内容（解析後のＳＩＰ信号）をトランザクション制御処理部２３０に引き渡し、一方、その解析内容が異常の場合は受け取ったＳＩＰ信号を破棄する。
【００３２】
トランザクション制御処理部２３０は、受け取った解析後のＳＩＰ信号が新たに処理されるべきものか、あるいは再送信号として受信されたものかを判定し、前者の場合であれば呼制御処理部２４０に解析後のＳＩＰ信号を引き渡し、一方、後者の場合であれば応答信号の再送などのリアクション動作をとる。
【００３３】
呼制御処理部２４０は、受け取った解析後のＳＩＰ信号の内容に従い、呼接続処理又は呼切断処理を実行し、必要に応じてＳＩＰ電話端末１２０に対して応答信号又は要求信号を送信する。
【００３４】
輻輳制御管理部３００は、ＳＩＰ信号受信処理部２１０から要求された規制対象判定を実施し、この判定した結果に応じて輻輳非規制対象を意味する「規制非対象」を示す旨又は輻輳規制対象を意味する「規制対象」を示す旨を、規制対象判定要求に対する結果としてＳＩＰ信号受信処理部２１０へ返却する。このように規制対象判定要求に応じて輻輳規制判定処理（この詳細については後述する）が実施される。
【００３５】
すなわち、輻輳制御管理部３００は、ＳＩＰ電話端末毎にＳＩＰ信号受信処理部２１０による信号受信に関する所定の時間当たりの受信頻度を求め、この求めた受信頻度が上記所定の時間当たりの予め設定される受信頻度に達している通信端末に関わる受信信号については破棄するようＳＩＰ信号受信処理部２１０を制御する。
【００３６】
このようなネットワークシステムでは、ＳＩＰ交換機システム１００が、当該ＳＩＰ交換機システム１００に対して一定数の信号を短時間で送信しようとしたＳＩＰ電話端末を自律的に検出し（システム自律により検出し）、当該ＳＩＰ電話端末に対して規制（輻輳規制）を行う。
【００３７】
図３は、輻輳制御管理部３００の構成図を示している。
【００３８】
図３に示すように、輻輳制御管理部３００は、端末輻輳情報テーブル４１０、保持部４２０、輻輳規制判定処理部４５０、及び規制解除タイマ処理部４６０を有している。
【００３９】
端末輻輳情報テーブル４１０は、複数の端末輻輳情報４１０−０、４１０−１、４１０−ｎによって構成されている。個々の端末輻輳情報は、ＩＰアドレスとポート番号とを基に、ＳＩＰ交換機システム１００に収容される各ＳＩＰ電話端末に対応して生成される。また、端末輻輳情報毎にユニークな識別子ＩＤが振られる。図３において、ＩＤ＝０、ＩＤ＝１、ＩＤ＝ｎはそれぞれ端末輻輳情報４１０−０、４１０−１、４１０−ｎに振られた識別子ＩＤを示す。
【００４０】
なお、端末輻輳情報テーブル４１０においては、ＩＰアドレスとポート番号とを基に輻輳規制判定処理部４５０による端末輻輳情報の検索が、ＳＩＰ信号受信処理部２１０が信号を受信するたびに実施されるので、その端末輻輳情報の検索が頻繁に実施されることとなる。そのため、端末輻輳情報テーブル４１０はハッシュ構造などの短時間検索が可能な構造を有している。
【００４１】
図４は、端末輻輳情報４１０−０、４１０−１、４１０−ｎの内部データ構成図を示している。
【００４２】
図４に示すように、端末輻輳情報４１０−０、４１０−１、４１０−ｎは、端末ＩＰアドレス５１０、端末ポート番号５２０、信号受信回数５３０、信号受信時間計測開始時刻５４０、及び輻輳規制中フラグ５５０から構成される。これら端末輻輳情報の各データ５１０〜５５０の定義内容を図５に示す。
【００４３】
図５を参照して明らかなように、端末ＩＰアドレス５１０は、信号送信元のＳＩＰ電話端末のＩＰアドレスを意味する。端末ポート番号５２０は、信号送信元のＳＩＰ電話端末のポート番号を意味する。
【００４４】
信号受信回数５３０は、ＳＩＰ信号受信処理部２１０が後述する信号受信時間計測開始時刻を基準にして信号を受信した回数（ＳＩＰ信号受信処理部２１０による輻輳規制判定要求が行われた回数）を意味する。信号受信回数５３０の初期値は０である。
【００４５】
信号受信時間計測開始時刻５４０は、ＳＩＰ信号受信処理部２１０が信号受信を開始した時刻を意味する。この時刻（信号受信時間計測開始時刻５４０の値）と信号受信回数（信号受信回数５３０の値）が後述する規定判定実施信号受信回数に達したときの時刻との差分を求めることにより、信号受信時間が算出される。この信号受信時間は輻輳規制判定値として使用される。
【００４６】
輻輳規制中フラグ５５０は、信号送信元のＳＩＰ電話端末が輻輳規制中（ＯＮ）か輻輳非規制中（ＯＦＦ）かを示すフラグを意味する。このフラグの初期値はＯＦＦである。輻輳規制判定処理において輻輳規制対象として判定された場合はフラグ＝ＯＮとなる。このフラグの内容が輻輳規制判定要求に対する結果（規制対象＝ＯＮ又は規制非対象＝ＯＦＦ）としてＳＩＰ信号受信処理部２１０に返却される。
【００４７】
すなわち、端末輻輳情報テーブル４１０には、複数のＳＩＰ電話端末に対応する端末特定情報毎に、ＳＩＰ信号受信処理部２１０によって受信される信号の受信回数を示す受信回数情報と、信号受信を開始した時刻を示す時刻情報と、輻輳規制中か否かを示す情報とが記憶されることになる。
【００４８】
ここで再度、図３を参照して説明する。
【００４９】
保持部４２０は、輻輳判定実施信号受信回数４３０、輻輳規制決定信号受信時間４４０、及び輻輳規制解除時間４７０を保持している。
【００５０】
輻輳判定実施信号受信回数４３０は、ＳＩＰ信号受信処理部２１０による信号受信に関わる予め設定される受信回数（基準受信回数）を意味する。
【００５１】
輻輳規制決定信号受信時間４４０は、ＳＩＰ信号受信処理部２１０による信号受信に関わる予め設定される受信時間（基準受信時間）を意味する。
【００５２】
輻輳規制解除時間４７０は、輻輳規制対象のＳＩＰ電話端末に関わる輻輳規制すべき時間（輻輳規制が開始されてから解除されるまでの時間）を意味する。
【００５３】
輻輳規制判定処理部４５０は、輻輳判定実施信号受信回数４３０及び輻輳規制決定信号受信時間４４０の各値を基に、ＳＩＰ電話端末を輻輳規制対象とすべきか否かを判定する輻輳規制判定処理を実行する。
【００５４】
この輻輳規制判定処理においては、輻輳規制判定処理部４５０は、個々のＳＩＰ電話端末について、ＳＩＰ信号受信処理部２１０による輻輳判定実施信号受信回数４３０の値の回数分の信号を受信するのに要した時間を算出し、この算出した時間が輻輳規制決定信号受信時間４４０以下のときは、輻輳状態にあると決定する（輻輳規制対象とすべきものと決定する）。
【００５５】
規制解除タイマ処理部４６０は、輻輳規制解除時間４７０の値を基に、輻輳規制中状態（輻輳規制中フラグ＝ＯＮ）のＳＩＰ電話端末について輻輳規制を解除する解除処理を実行する。
【００５６】
この解除処理においては、規制解除タイマ処理部４６０は、任意のＳＩＰ電話端末に対して輻輳規制中状態（輻輳規制中フラグ＝ＯＮ）が設定された場合は、輻輳規制解除時間４７０のタイマを張り、この時間が経過した時点で該当するＳＩＰ電話端末に関わる輻輳規制状態を解除（輻輳規制中フラグ＝ＯＦＦ）する。
【００５７】
すなわち、規制解除タイマ処理部４６０は、所定のＳＩＰ電話端末について輻輳規制対象であると決定された場合は、一定時間（タイマの時間）が経過した後に端末輻輳情報テーブル４１０の当該所定のＳＩＰ電話端末に関わる記憶内容（端末輻輳情報）をリセットし、輻輳規制対象となっている当該所定のＳＩＰ電話端末に関わる輻輳規制を解除する。
【００５８】
なお、輻輳判定実施信号受信回数４３０、輻輳規制決定信号受信時間４４０、及び輻輳規制解除時間４７０の各値は、保守者によるＳＩＰ交換機保守端末１３０の所定の操作によって変更可能である。
【００５９】
図６は、輻輳規制判定処理部４５０を詳細に説明する図を示している。
【００６０】
図６において、端末輻輳情報テーブル４１０には、識別子ＩＤ＝０が付与された端末輻輳情報４１０−０のみを示している。
【００６１】
さて、輻輳規制判定処理部４５０は、図６に示すように、更新部４５１、受信回数比較部４５２、時間比較部４５３、及び処理部４５４を有している。
【００６２】
更新部４５１は、ＳＩＰ信号受信処理部２１０によって受信信号から抽出された情報（端末特定情報）すなわちＩＰアドレス及びポート番号を基に、端末輻輳情報テーブル４１０に記憶されている端末輻輳情報中の信号受信回数（受信回数情報）５３０を更新する。
【００６３】
受信回数比較部４５２は、更新部４５１による更新処理された更新後の信号受信回数（受信回数情報）５３０に基づく受信回数値と、保持部４２０に保持されている輻輳判定実施信号受信回数４３０の値（予め設定される基準受信回数値）とを比較し、この比較した結果を時間比較部４５３へ通知する。
【００６４】
時間比較部４５３は、受信回数比較部４５２によって更新後の受信回数値が輻輳判定実施信号受信回数４３０の値（予め設定される基準受信回数値）に達したと判定されたときは、当該端末特定情報（ＩＰアドレス及びポート番号）に対応して端末輻輳情報テーブル４１０に記憶されている端末輻輳情報中の信号受信時間計測開始時刻（時刻情報）５４０に基づく時刻から現在の時刻までの実際の受信時間と、保持部４２０に保持されている輻輳規制決定信号受信時間４４０の値（予め設定される基準受信時間）とを比較し、この比較した結果を処理部４５４へ通知する。
【００６５】
処理部４５４は、時間比較部４５３によって上記実際の受信時間が上記輻輳規制決定信号受信時間４４０の値以下であると判定されたときは、当該端末特定情報（ＩＰアドレス及びポート番号）に対応するＳＩＰ電話端末については輻輳規制対象であると決定し、端末輻輳情報テーブル４１０の端末輻輳情報中の輻輳規制中フラグを「ＯＮ」に設定し、その後、輻輳規制中フラグ＝「ＯＮ」を示す旨（輻輳規制中）をＳＩＰ信号受信処理部２１０へ通知する。
【００６６】
すなわち、輻輳規制判定処理部４５０は、ＳＩＰ信号受信処理部２１０から通知される端末特定情報（ＩＰアドレス及びポート番号）毎にＳＩＰ信号受信処理部２１０による信号受信に関する受信割合（＝受信回数／時間）を求めると共に、この求めた受信割合と予め設定されている受信割合とを比較し、上記求めた受信割合が予め設定されている受信割合に達しているＳＩＰ電話端末については輻輳規制対象であると決定し、その旨をＳＩＰ信号受信処理部２１０へ通知する。
【００６７】
この実施形態の場合、受信割合の情報として、所定数の受信回数になる時間の情報を用いている。
【００６８】
本実施形態では、輻輳制御管理部３００（の輻輳規制判定処理部４５０）による輻輳規制判定処理と、ＳＩＰ信号受信処理部２１０による信号破棄処理（受信信号を破棄する処理）とを含む輻輳規制処理が実施されることになる。すなわち、ＳＩＰ信号受信処理部２１０と輻輳制御管理部３００とが協働して輻輳規制処理を実行するようになっている。
【００６９】
なお、上述したＳＩＰ交換機システム１００は、後述する処理手順（図７〜図１１参照）に対応するプログラムを含む所定の処理プログラムを格納するハードディスクなどの記憶装置と、その所定の処理プログラムの一部又は全部、外部の端末との間で授受されるデータ、輻輳規制処理時に必要となるデータなどの各種のデータを記憶するＲＡＭ（随時書き込み読み出しメモリ）などの主メモリと、記憶装置から主メモリへ所定の処理プログラムを読み込んで実行することにより、ＳＩＰ交換機システム１００の機能を実現するＣＰＵ（中央演算処理装置）、ＬＳＩ（大規模集積回路）などの制御装置と、を有している。
【００７０】
ここで、ＳＩＰ交換機システム１００の機能としては、ＳＩＰ信号受信処理部２１０、ＳＩＰ信号解析処理部２２０、トランザクション制御処理部２３０、呼制御処理部２４０、及び輻輳制御管理部３００の各機能が含まれる。
【００７１】
（Ａ−２）第１の実施形態の動作
次に、ＳＩＰ交換機システム１００による輻輳規制処理について、図７を参照して説明する。
【００７２】
図７は、ＳＩＰ交換機システム１００による輻輳規制処理（ＳＩＰ信号受信処理部２１０による信号受信時の輻輳規制処理）の処理動作のフローチャートを示している。
【００７３】
図７に示すように、ＳＩＰ信号受信処理部２１０は、ＩＰネットワーク１１０を介して送信元のＳＩＰ電話端末から送信された信号（要求信号、応答信号、ＳＩＰ信号以外の信号）を受信すると（ステップＳ１１０）、輻輳制御管理部３００に対し、その受信信号に関わる規制対象判定を要求する（ステップＳ１２０）。
【００７４】
この規制対象判定要求のときには、ＳＩＰ信号受信処理部２１０は、ＳＩＰ電話端末を特定する情報（端末特定情報）として、受信信号から送信元のＩＰアドレス及びポート番号を抽出し、抽出したこれらの情報（端末特定情報）を合わせて輻輳制御管理部３００に引き渡す。
【００７５】
輻輳制御管理部３００は、詳細な説明については後述する輻輳規制判定処理を実施し（ステップＳ１３０）、この判定処理を実施した結果（判定結果）として、「規制対象」又は「規制非対象」をＳＩＰ信号受信処理部２１０に返却する（ステップＳ１４０）。
【００７６】
ＳＩＰ信号受信処理部２１０は、輻輳制御管理部３００から返却された判定結果のチェックを行い（ステップＳ１５０）、判定結果として「規制対象」が返却された場合には該当する受信信号を破棄し（ステップＳ１６０）、一方、判定結果として「規制非対象」が返却された場合は、該当する受信信号をＳＩＰ信号解析処理部２２０に引き渡す（ステップＳ１７０）。
【００７７】
ＳＩＰ信号解析処理部２２０では、受け取った受信信号の解析（ＳＩＰ信号解析処理）を実施する（ステップＳ１８０）。そして、このＳＩＰ信号解析処理の結果に応じて、トランザクション制御処理、呼制御処理が実施されることとなる。
【００７８】
以上説明したように、ＳＩＰ信号受信処理部２１０が、受信信号に関わる規制対象判定の要求に対する結果が輻輳規制すべき旨（「規制対象」）であるときは当該受信信号を破棄するようにしているので、当該ＳＩＰ交換機システム１００の輻輳を回避することができる。
【００７９】
次に、輻輳制御管理部３００の輻輳規制判定処理部４５０による輻輳規制判定処理（図７のステップＳ１３０の輻輳規制判定処理）について、図８〜図１０を参照して説明する。
【００８０】
図８〜図１０は、輻輳規制判定処理部４５０による輻輳規制判定処理の処理動作のフローチャートを示している。
【００８１】
ＳＩＰ交換機システム１００においては、ＳＩＰ信号受信処理部２１０がＳＩＰ電話端末からの信号を受信すると、ＳＩＰ信号受信処理部２１０は、その受信信号を一旦保持すると共に、受信信号から端末特定情報を抽出すなわち信号送信元のＳＩＰ電話端末に関わるＩＰアドレス及びポート番号を抽出し、その後、輻輳制御管理部３００の輻輳規制判定処理部４５０を起動する。
【００８２】
この起動時には、ＳＩＰ信号受信処理部２１０から輻輳規制判定処理部４５０に、上記受信信号から抽出された信号送信元のＳＩＰ電話端末に関わるＩＰアドレス及びポート番号が入力値として引き渡される。
【００８３】
さて、図８に示すように、起動された輻輳規制判定処理部４５０は、引き渡されたＩＰアドレス及びポート番号を基に（ステップＳ２０１）、これらの情報（端末特定情報）と同一値の端末ＩＰアドレス５１０及び端末ポート番号５２０を持つ端末輻輳情報を、端末輻輳情報テーブル４１０から検索する（ステップＳ２０２）。
【００８４】
次に、輻輳規制判定処理部４５０は、端末輻輳情報テーブル４１０を検索した結果を基に、上記端末特定情報に対応する端末輻輳情報が端末輻輳情報テーブル４１０に存在するか否かを判断し（ステップＳ２０３）、この判断した結果、上記端末特定情報に対応する端末輻輳情報が存在しない場合は端末輻輳情報テーブル４１０に新たな端末輻輳情報を追加する（ステップＳ２０４）。
【００８５】
このステップＳ２０４の処理においては、輻輳規制判定処理部４５０は、新たな端末輻輳情報の初期値として、端末ＩＰアドレス５１０及び端末ポート番号５２０のそれぞれにステップＳ２０１において引き渡された入力値を設定し、信号受信回数５３０に値「０」を設定し、信号受信時間計測開始時刻５４０に現在時刻を設定し、さらに輻輳規制中フラグを「ＯＦＦ」に設定する。
【００８６】
このようにして新たな端末輻輳情報を端末輻輳情報テーブル４１０に追加した輻輳規制判定処理部４５０は、輻輳非規制対象である旨つまり「規制非対象」をＳＩＰ信号受信処理部２１０に返却し（ステップＳ２０５）、この処理を終了する。
【００８７】
ステップＳ２０３において上記端末特定情報に対応する端末輻輳情報が端末輻輳情報テーブル４１０に存在していると判断した輻輳規制判定処理部４５０は、検索した所定の端末輻輳情報上の輻輳規制中フラグ５５０の値を確認する（ステップＳ２０６）。
【００８８】
そして、輻輳規制判定処理部４５０は、ステップＳ２０６において輻輳規制中フラグ５５０が「ＯＮ」の場合には、輻輳規制対象である旨（「規制対象」）をＳＩＰ信号受信処理部２１０に返却し（ステップＳ２０７）、この処理を終了する。
【００８９】
一方、ステップＳ２０６において輻輳規制中フラグ５５０が「ＯＦＦ」であると判断した輻輳規制判定処理部４５０は、図９に示すように、検索した所定の端末輻輳情報上の信号受信回数５３０に値「１」を加算し（ステップＳ２０８）、この信号受信回数５３０と輻輳判定実施信号受信回数４３０とを比較する（ステップＳ２０９）。
【００９０】
ステップＳ２０９において信号受信回数５３０の値が輻輳判定実施信号受信回数４３０の値より小さいと判定した輻輳規制判定処理部４５０は、「規制非対象」をＳＩＰ信号受信処理部２１０に返却し（ステップＳ２１０）、この処理を終了する。
【００９１】
一方、ステップＳ２０９において信号受信回数５３０の値が輻輳判定実施信号受信回数４３０の値と等しいと判定した輻輳規制判定処理部４５０は、現在時刻を収集し（ステップＳ２１１）、この現在時刻と検索した所定の輻輳規制情報上の信号受信時間計測開始時刻５４０との差分を求めると共に、この求めた差分値を基に信号受信時間Ａを算出する（ステップＳ２１２）。
【００９２】
次に、輻輳規制判定処理部４５０は、検出した所定の輻輳規制情報上の信号受信回数５３０に値「０」を設定すると共に（ステップＳ２１３）、上記所定の輻輳規制情報上の信号受信時間計測開始時刻５４０に現在時刻をコピーする（ステップＳ２１４）。
【００９３】
続いて、輻輳規制判定処理部４５０は、図１０に示すように、ステップＳ２１２で算出した信号受信時間Ａと輻輳規制決定信号受信時間４４０の値とを比較し（ステップＳ２１５）、この比較した結果、信号受信時間Ａが輻輳規制決定信号受信時間４４０よりも長い場合は、「規制非対象」をＳＩＰ信号受信処理部２１０に返却し（ステップＳ２１６）、この処理を終了する。
【００９４】
ステップＳ２１５において、信号受信時間Ａが輻輳規制決定信号受信時間４４０以下であると判定した輻輳規制判定処理部４５０は、検索した所定の輻輳規制情報上の輻輳規制中フラグ５５０に「ＯＮ」を設定し（ステップＳ２１７）、次に、上記所定の輻輳規制情報上の識別子ＩＤを入力値として規制解除タイマ処理部４６０にタイマ（規制解除タイマ）を登録し（ステップＳ２１８）、その後、「規制対象」をＳＩＰ信号受信処理部２１０に返却し（ステップＳ２１９）、この処理を終了する。
【００９５】
ところで、ステップＳ２０７及びステップＳ２１９において「規制対象」がＳＩＰ信号受信処理部２１０に返却されると、ＳＩＰ信号受信処理部２１０は、既に受信し一旦保持している受信信号を破棄する。これにより、ＳＩＰ交換機システム１００の輻輳が回避される。
【００９６】
次に、輻輳制御管理部３００の規制解除タイマ処理部４６０による規制解除タイマ処理について、図１１を参照して説明する。
【００９７】
図１１は、規制解除タイマ処理部４６０による規制解除タイマ処理の処理動作のフローチャートを示している。
【００９８】
輻輳規制判定処理部４５０は、上述したように輻輳規制判定処理において所定のＳＩＰ電話端末が規制対象であると判定した場合は、規制解除タイマ処理部４６０に対して規制解除タイマを登録する。このとき入力値として、輻輳規制中フラグ５５０に「ＯＮ」が設定され端末輻輳情報の識別子ＩＤが渡される。
【００９９】
さて、規制解除タイマ処理部４６０は、図１１に示すように、輻輳規制判定処理部４５０からの規制解除タイマの登録を受け付けると、輻輳規制解除時間４７０をタイムアウト時間としてタイマを設定する（ステップＳ３０１）。
【０１００】
次に、規制解除タイマ処理部４６０は、輻輳規制解除時間４７０の値分の時間が経過しタイマが満了すると（ステップＳ３０２）、輻輳規制判定処理部４５０から受け取った識別子ＩＤに対応する端末輻輳情報を端末輻輳情報テーブル４１０から検索する（ステップＳ３０３）。
【０１０１】
続いて規制解除タイマ処理部４６０は、端末輻輳情報テーブル４１０を検索した結果を基に、識別子ＩＤに対応する端末輻輳情報が端末輻輳情報テーブル４１０に存在するか否かを判断し（ステップＳ３０４）、この判断した結果、識別子ＩＤに対応する端末輻輳情報が存在する場合は、信号受信回数５３０に値「０」を設定すると共に（ステップＳ３０５）、信号受信時間計測開始時刻５４０に現在時刻を設定（コピー）し（ステップＳ３０６）、さらに輻輳規制中フラグ５５０に「ＯＦＦ」を設定し（ステップＳ３０７）、その後、この処理を終了する。
【０１０２】
ステップＳ３０４において識別子ＩＤに対応する端末輻輳情報が端末輻輳情報テーブル４１０に存在しないと判断された場合は、何も行われず、この処理が終了される。
【０１０３】
なお、本実施形態では、ＳＩＰ交換機システム１００において規制解除タイマ処理部４６０が、輻輳規制中のＳＩＰ電話端末に対する輻輳規制状態の解除（規制解除タイマ処理）を実施するようにしているが、本発明はこれに限定されることなく、輻輳規制判定処理部４５０（の処理部４５４）が規制解除タイマ処理を実施するようにしてもよい。
【０１０４】
この場合、輻輳規制判定処理部４５０（の処理部４５４）が、所定のＳＩＰ電話端末について輻輳規制対象であると決定した場合は、一定時間が経過した後に端末輻輳情報テーブル４１０の当該所定のＳＩＰ電話端末に関わる記憶内容（端末輻輳情報）をリセットし、輻輳規制対象となっている当該所定のＳＩＰ電話端末に関わる輻輳規制を解除する。すなわち、輻輳規制判定処理部４５０（の処理部４５４）が図１１の規制解除タイマ処理を実行するようにする。
【０１０５】
また、本実施形態では、ＳＩＰ電話端末の輻輳規制状態の解除をＳＩＰ交換機システム１００（の規制解除タイマ処理部４６０）にて自律的に実施するようにしているが、保守者によるＳＩＰ交換機保守端末１３０の操作によりＳＩＰ電話端末の輻輳規制状態を解除するようにしてもよい。
【０１０６】
すなわち、この場合、例えば、図３において、規制解除タイマ処理部４６０及び輻輳規制解除時間４７０を削除した構成とする。
【０１０７】
ＳＩＰ交換機システム１００が輻輳規制状態のＳＩＰ電話端末に関する情報（ＳＩＰ電話端末を示す情報）を、ＩＰネットワーク１１０を介してＳＩＰ交換機保守端末１３０に送信する。
【０１０８】
ＳＩＰ交換機保守端末１３０は、受信した輻輳規制状態のＳＩＰ電話端末を示す情報をディスプレイなどの表示装置に表示する。場合によっては、表示装置には、複数のＳＩＰ電話端末を示す情報がリスト表示されることも有り得る。さて、ＳＩＰ交換機保守端末１３０では、保守者によってリスト中の所望のＳＩＰ電話端末に対する輻輳規制解除を示す旨が指示されたときは、当該所望のＳＩＰ電話端末が輻輳規制解除指定された旨を、ＩＰネットワーク１１０を介してＳＩＰ交換機システム１００に送信する。
【０１０９】
そして、ＳＩＰ交換機システム１００は、受信した所望のＳＩＰ電話端末の輻輳規制状態を解除する。例えば、輻輳制御管理部３００は、図１１のステップＳ３０５〜Ｓ３０７を実行する。
【０１１０】
なお、ＳＩＰ交換機システム１００とＳＩＰ交換機保守端末１３０とで送受信されるデータには、輻輳規制状態のＳＩＰ電話端末に関わる端末特定情報（ＩＰアドレス及びポート番号）、この情報を基に生成された端末輻輳情報に付与された識別子ＩＤ、又は、端末特定情報及び識別子ＩＤが含まれるようにする。これにより、ＳＩＰ交換機システム１００は、輻輳規制解除対象のＳＩＰ電話端末を認識し、対応する端末輻輳情報を更新して、そのＳＩＰ電話端末に対する輻輳規制状態を解除することが可能となる。
【０１１１】
（Ａ−３）第１の実施形態の効果
以上説明したように第１の実施形態によれば、ＳＩＰ信号受信処理部２１０と輻輳制御管理部３００との協働により、異常に大量な信号を送信したＳＩＰ電話端末を特定し、この特定したＳＩＰ電話端末からの受信信号を破棄するようにしているので、悪意のＳＩＰ電話端末や故障したＳＩＰ電話端末からの異常に大量な信号の受信によって引き起こされるＳＩＰ交換機システムの輻輳を回避することができる。
【０１１２】
（Ｂ）比較例（輻輳制御管理部を具備しないＳＩＰ交換機システム）
図１２は、輻輳制御管理部を具備しないＳＩＰ交換機システムの構成図を示している。図１２に示すＳＩＰ交換機システム１００Ａは、図２に示したＳＩＰ交換機システム１００の構成において、輻輳制御管理部３００を削除し、ＳＩＰ信号受信処理部２１０をＳＩＰ信号受信処理部２１０Ａに代替した構成になっている。なお図１２において、図２に示した構成要素と同様の機能を果たす部分には同一の符号を付している。
【０１１３】
図１２に示すＳＩＰ交換機システム１００Ａにおいては、ＳＩＰ信号受信処理部２１０Ａは、ＳＩＰ電話端末１２０から送信されたＳＩＰ信号（要求信号、応答信号）を受信し、この受信したＳＩＰ信号をＳＩＰ信号解析処理部２２０に引き渡す。
【０１１４】
ＳＩＰ信号解析処理部２２０は、受け取ったＳＩＰ信号の解析を実施し、この解析結果（解析内容）が正常であった場合にはその解析内容（解析後のＳＩＰ信号）をトランザクション制御処理部２３０に引き渡し、一方、その解析内容が異常の場合はそのＳＩＰ信号を破棄する。
【０１１５】
トランザクション制御処理部２３０は、受け取った解析後のＳＩＰ信号が新たに処理されるべきものか、あるいは再送信号として受信されたものかを判定し、前者の場合であれば呼制御処理部２４０に解析後のＳＩＰ信号を引き渡し、一方、後者の場合であれば応答信号の再送などのリアクション動作をとる。
【０１１６】
呼制御処理部２４０は、解析後のＳＩＰ信号の内容に従い、呼接続処理又は呼切断処理を実行し、必要に応じてＳＩＰ電話端末１２０に対して応答信号又は要求信号を送信する。
【０１１７】
しかし、このようなＳＩＰ交換機システム１００Ａでは、悪意のＳＩＰ電話端末や故障したＳＩＰ電話端末から異常に大量な信号（ＳＩＰ要求信号、ＳＩＰ応答信号、ＳＩＰ信号以外の信号）が送信された場合、大量な信号１つ１つについて、ＳＩＰ信号受信処理部２１０にて受信された後、必ずＳＩＰ信号解析処理部２２０において解析処理が実行されてしまう。
【０１１８】
また、ＳＩＰ信号解析処理部２２０による解析処理の解析結果が正常であった場合は、トランザクション制御処理部２３０及び呼制御処理部２４０のそれぞれによる処理までが実行されてしまう。
【０１１９】
このようなことから、図１２に示すＳＩＰ交換機システム１００Ａでは、悪意のＳＩＰ電話端末や故障したＳＩＰ電話端末からの異常に大量な信号の受信によって、ＳＩＰ交換機システム全体が輻輳状態に陥る可能性がある。
【０１２０】
これに対し、上述した第１の実施形態（図２に示したＳＩＰ交換機システム１００）では、上述したようにＳＩＰ信号受信処理部２１０と輻輳制御管理部３００との協働により、悪意のＳＩＰ電話端末や故障したＳＩＰ電話端末からの異常に大量な信号の受信によって引き起こされるＳＩＰ交換機システムの輻輳を回避することができる。
【０１２１】
（Ｃ）他の実施形態
本発明は、ＵＤＰ上のプロトコルによりサーバクライアントモデルを適用しているシステム、例えばＭＧＣＰなどのＶｏＩＰ（Ｖｏｉｃｅ  Ｏｖｅｒ  Ｉｎｔｅｒｎｅｔ  Ｐｒｏｔｏｃｏｌ）を採用しているＩＰ電話交換機システムに適用することができる。
【０１２２】
また、上記各実施形態においては、受信回数／時間である受信割合の情報として、所定の受信数になる時間の情報を用いたものを示したが、受信回数／時間である受信割合の情報として、所定時間での受信数を用いるようにしても良い。
【図面の簡単な説明】
【０１２３】
【図１】第１の実施形態に係るＳＩＰ交換機システムを有するネットワークシステムの構成を示す構成図である。
【図２】第１の実施形態に係るＳＩＰ交換機システムの機能を示す機能ブロック図である。
【図３】第１の実施形態の輻輳制御管理部の構成を示す構成図である。
【図４】第１の実施形態の端末輻輳情報テーブルの内部データ構成を示す内部データ構成図である。
【図５】第１の実施形態の端末輻輳情報テーブルに登録される端末輻輳情報の内部データを説明する図である。
【図６】第１の実施形態の輻輳規制判定処理部を詳細に説明する図である。
【図７】第１の実施形態の輻輳規制処理の処理動作を示すフローチャートである。
【図８】第１の実施形態の輻輳規制判定処理の処理動作を示すフローチャートである。
【図９】第１の実施形態の輻輳規制判定処理の処理動作を示すフローチャートである。
【図１０】第１の実施形態の輻輳規制判定処理の処理動作を示すフローチャートである。
【図１１】第１の実施形態の規制解除タイマ処理の処理動作を示すローチャートである。
【図１２】比較例としてのＳＩＰ交換機システム（輻輳制御管理部を具備しないＳＩＰ交換機システム）の構成を示す構成図である。
【符号の説明】
【０１２４】
１００…ＳＩＰ交換機システム、１１０…ＩＰネットワーク、１２０、１２０−１、１２０−２、１２０−Ｎ…ＳＩＰ電話端末、１３０…ＳＩＰ交換機保守端末、２１０…ＳＩＰ信号受信処理部、２２０…ＳＩＰ信号解析処理部、２３０…トランザクション制御処理部、２４０…呼制御処理部、３００…輻輳制御管理部、４１０…端末輻輳情報テーブル、４２０…保持部、４５０…輻輳規制判定処理部、４５１…更新部、４５２…受信回数比較部、４５３…時間比較部、４５４…処理部、４６０…規制解除タイマ処理部。
【図１】
0004687520.tif 000002
【図２】
0004687520.tif 000003
【図３】
0004687520.tif 000004
【図４】
0004687520.tif 000005
【図５】
0004687520.tif 000006
【図６】
0004687520.tif 000007
【図７】
0004687520.tif 000008
【図８】
0004687520.tif 000009
【図９】
0004687520.tif 000010
【図１０】
0004687520.tif 000011
【図１１】
0004687520.tif 000012
【図１２】
0004687520.tif 000013